(57)【要約】【課題】    本発明は、貴重品に適用可能な真偽判別可能な印刷物に関するものである。【解決手段】  基材上に第１の領域と第２の領域が配置されて背景模様が形成され、背景模様上に印刷模様が形成され、第２の領域は、第１の領域内に毛抜き合わせで配置されて潜像画像を形成し、第１の領域は、背景模様から潜像画像を構成するための第２の領域を除いた画像を形成し、第１の領域は第１の印刷インキで印刷され、第２の領域は第２の印刷インキで印刷され、第１の印刷インキと第２の印刷インキは、メタメリックペアインキ関係を有し、印刷模様は背景模様とは異なる色彩の少なくとも一色のインキで印刷される。【選択図】  図３
2008068511.tif 000002
【特許請求の範囲】
【請求項１】
基材上に第１の領域と第２の領域が配置されて背景模様が形成され、前記背景模様上に印刷模様が形成され、前記第２の領域は、前記第１の領域内に毛抜き合わせで配置されて潜像画像を形成し、前記第１の領域は、前記背景模様から前記潜像画像を構成するための前記第２の領域を除いた画像を形成し、前記第１の領域は第１の印刷インキで印刷され、前記第２の領域は第２の印刷インキで印刷され、前記印刷模様は前記背景模様とは異なる色彩の少なくとも一色のインキで印刷され、前記第１の印刷インキと前記第２の印刷インキは、分光反射率が可視領域内の第１の波長の範囲で近似し、可視領域内の第２の波長の範囲では異なる値のメタメリックペアインキであり、前記印刷模様を印刷する少なくとも一色のインキは、分光反射率が前記第２の波長の範囲で前記第２の印刷インキの分光反射率より高い分光反射率のインキであることを特徴とする真偽判別可能な印刷物。
【請求項２】
前記第１の領域と前記第２の領域が複数配置されて背景模様を形成することを特徴とする請求項１記載の真偽判別可能な印刷物。
【請求項３】
前記第１の印刷インキの６４０〜７００ｎｍ間での分光反射スペクトルの積分値は、前記第２の印刷インキの６４０〜７００ｎｍ間での分光反射スペクトルの積分値の２倍以上を有し、
前記第１の印刷インキの４００〜６００ｎｍ間での分光反射スペクトルの積分値は、前記第２の印刷インキの４００〜６００ｎｍ間での分光反射スペクトルの積分値と略同一であることを特徴とする請求項１又は２記載の真偽判別可能な印刷物。
【請求項４】
前記潜像画像が濃度階調を有することを特徴とする請求項２又は３記載の真偽判別可能な印刷物。
【請求項５】
前記印刷模様を印刷する少なくとも一色のインキは、マゼンタインキ及び／又はイエローインキであることを特徴とする請求項１、２、３又は４記載の真偽判別可能な印刷物。
【発明の詳細な説明】
【技術分野】
【０００１】
本発明は、銀行券、パスポート、有価証券、カード、印紙類、商品タグ、有料道路等の回数券又は各種チケット等の貴重品に適用可能な真偽判別可能な印刷物に関するものである。
【背景技術】
【０００２】
近年のスキャナ、プリンタ、カラーコピー機等のディジタル機器の発展により、貴重印刷物の精巧な複製物を容易に作製することが可能となっている。その対策の一つとして、従来から目視による識別方法としてメタメリズムを応用したメタメリックペアインキを用いる方法が多く試みられている。メタメリックペアインキを用いた貴重印刷物の目視による判別方法は、照明する光源の種類や特定波長を透過するフィルタの介在により、インキが同色に見えたり、異なった色に見えたりする特性を利用したものである。偽造防止技術を必要とする印刷物において、インキのメタメリズムによる光学特性を利用する方法は従来から行われている。
【０００３】
通常、有色であるメタメリックペアインキによって印刷された印刷物は、４００〜７００ｎｍの可視全波長である波長領域Ａと、使用する所定のフィルタ等が透過する所定の波長である波長領域Ｂの二つの波長領域で観察される。
【０００４】
図１（ａ）に示す印刷物Ａ１は、基材１に可視画像２を形成し、可視画像２は、第１のインキで印刷される第１の領域３と第２のインキで印刷される第２の領域４で構成される。印刷物Ａ１は、太陽光、蛍光灯又は白熱電球等からの通常光下で肉眼で観察した場合に、図１（ｂ）に示すように、第１のインキで印刷される第１の領域３と第２のインキで印刷される第２の領域４が等色で視認され、可視画像２のみが確認できる。印刷物Ａ１は、所定のフィルタ等を通して肉眼で観察した場合に、図１（ｃ）に示すように、第１のインキで印刷される第１の領域３と、第２のインキで印刷される第２の領域４の色が異なって視認されるため、潜像画像として確認できる。印刷物Ａ１は、可視画像２に対して所定のフィルタ１０等を通して第１の領域３と、第２の領域４の色の差異が生じた場合に本物と判断し、色の差異が生じない場合に偽物と判断して真偽判別が行われる。
【０００５】
また、別のメタメリックペアインキを用いた印刷物の真偽判定方法として、ペアインキ間のコントラストの変化を利用するものがある。この方法においては、特定波長域を数十ｎｍ程度の範囲に限定された領域に設定するために、色相の変化はわずかしか発生しないが、ペアインキ間の特定波長領域における反射又は吸収特性の違いがより顕著に現れるため、図１の第１の領域３の濃度のみが低下し、第２の領域４が強調されて、第２の領域４が潜像画像として出現したように見える。以上のように、フィルタを通して潜像画像の出現の有無を認証して真偽判別を行う真偽判別方法も存在する。
【０００６】
いずれにしても、色相変化、あるいは潜像画像の出現の有無を認証する前述した各々の方法においても、メタメリックペアインキを用いた真偽判別は、特定の波長領域におけるインキの反射・吸収特性の差異を利用するものである。
【０００７】
例えば、太陽光、蛍光灯又は白熱電球等からの通常光下では同色に見えるが、所定の分光エネルギー分布を有する光源の下で見るか、所定のフィルタを通して見るか、あるいは所定のフィルタを通過させた光の下で見ると、一方が異なった色相に見えるメタリックな性質を有する二種類の色料において、それぞれによってパターンを互いに対比観察できるように基材上に形成することに特徴を有する偽造防止策を施した画像形成体が開示されている（特許文献１参照）。
【０００８】
また、本出願人は、メタメリックペアインキに異なる近赤外特性を持たせ、その二種類のメタメリックペアインキを用いた印刷物を、近赤外領域の異なる二つの波長の反射又は透過光量を電圧換算で読み取る真偽判別方法とその装置を出願している（特許文献２参照。）。
【０００９】
【特許文献１】特公昭６０−５８７１１号公報（第１−４頁、第１−１１図）
【特許文献２】特許第３７０９５３９号公報（第１−６頁、第１−６図）
【発明の開示】
【発明が解決しようとする課題】
【００１０】
しかしながら、従来のメタメリックペアインキで印刷される印刷物は、色相変化や潜像画像の有無を認証する場合に、一般的にベタの印刷パターンで印刷する形態であり、また、潜像画像は基本画像の一部をそのまま空白化し、潜像をその空白化した部位に重ね合わせて置き換える、いわゆる単純な「抜き」と呼ばれる構成を用いて付与される場合がほとんどであった。よって、複数色の色彩が用いられることがないため色彩に乏しかった。また、複数の色彩を得るためには、メタメリックペア印刷上にメタメリックペアインキとは異なる色彩のインキを重ね刷りすることが考えられるが、所定のフィルタ等を通して肉眼で観察した場合に、重ね刷りした印刷領域が消失せず、メタメリック効果を損なう問題があった。また、メタメリックペアインキの若干の色彩の違い、光沢差の違いから背景模様内に埋め込まれた潜像画像が通常光下で視認される恐れがあった。さらに、潜像画像に階調を表現することが困難でありデザインの自由度がなかった。
【００１１】
本発明は、このような従来の問題を解決することを目的としたもので、メタメリックペアインキで印刷される潜像画像を含む背景模様上に、背景模様とは異なる色彩の印刷模様が重ね刷りされ、メタメリック効果を損なうことなく、通常光下では背景模様と印刷模様から成る複数色の色彩を有する。また、所定のフィルタ等を通して肉眼で観察した場合に、潜像画像は、背景画像及び背景模様から前述した潜像画像を構成する領域を除いた画像と鮮明な濃度差を有して視認されるため、容易に真偽判別することが可能である。必要に応じて潜像画像にも濃度階調を付与することが可能であり、デザインの制約を受けることがない。
【００１２】
本発明は上記のメタメリックペアインキで印刷される真偽判別可能な印刷物を提案することを目的とする。
【課題を解決するための手段】
【００１３】
本発明は、基材上に第１の領域と第２の領域が配置されて背景模様が形成され、背景模様上に印刷模様が形成され、第２の領域は、第１の領域内に毛抜き合わせで配置されて潜像画像を形成し、第１の領域は、背景模様から潜像画像を構成するための第２の領域を除いた画像を形成し、第１の領域は第１の印刷インキで印刷され、第２の領域は第２の印刷インキで印刷され、印刷模様は背景模様とは異なる色彩の少なくとも一色のインキで印刷され、第１の印刷インキと第２の印刷インキは、分光反射率が可視領域内の第１の波長の範囲で近似し、可視領域内の第２の波長の範囲では異なる値のメタメリックペアインキであり、印刷模様を印刷する少なくとも一色のインキは、分光反射率が前記第２の波長の範囲で第２の印刷インキの分光反射率より高い分光反射率のインキであることを特徴とする真偽判別可能な印刷物である。
【００１４】
また、本発明は、第１の領域と第２の領域が複数配置されて背景模様を形成することを特徴とする真偽判別可能な印刷物である。
【００１５】
また、本発明は、第１の印刷インキの６４０〜７００ｎｍ間での分光反射スペクトルの積分値が、第２の印刷インキの６４０〜７００ｎｍ間での分光反射スペクトルの積分値の２倍以上を有し、第１の印刷インキの４００〜６００ｎｍ間での分光反射スペクトルの積分値は、第２の印刷インキの４００〜６００ｎｍ間での分光反射スペクトルの積分値と略同一であることを特徴とする真偽判別可能な印刷物である。
【００１６】
また、本発明は、潜像画像が濃度階調を有することを特徴とする真偽判別可能な印刷物である。
【００１７】
また、本発明は、印刷模様を印刷する少なくとも一色のインキは、マゼンタインキ及び／又はイエローインキであることを特徴とする真偽判別可能な印刷物である。
【発明の効果】
【００１８】
本発明は、通常光下では潜像画像は視認されることなく、背景模様と背景模様上に印刷される印刷模様が視認できる。メタメリック効果を損なうことなく、通常光下では複数色の色彩を有する。所定のフィルタ等を通して肉眼で観察した場合に、潜像画像は、背景模様から前述した潜像画像を構成する領域を除いた画像及び印刷模様と鮮明な濃度差を有して視認されるため、容易に真偽判別することが可能である。また、本発明は、必要に応じて潜像画像に濃度階調を付与することが可能である。
【００１９】
また、メタメリックペアインキで形成した第１の領域を構成する網点と、その網点と対となる第２の領域の網点を組み合わせて用い、全体的な濃度を一定にすることで従来よりも潜像画像を隠蔽することが可能である。
【００２０】
背景模様４上に刷り重ねられる印刷模様６は、複数色の色彩を付与することが可能となる。また、デザインに制約を受けることがない貴重品に適用可能な印刷物である。当然、貴重品以外の印刷物にも適用できる。
【発明を実施するための最良の形態】
【００２１】
本発明を実施するための最良の形態について図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２２】
通常、メタメリックペアインキによって、構成された画像は、４００〜７００ｎｍの可視全波長である波長領域Ａと、使用する所定のフィルタ等が透過する所定の波長である波長領域Ｂの二つの波長領域で観察される。本発明の実施の形態における真偽判別可能な印刷物は、メタメリックインキの二種類のインキと、メタメリックインキで印刷された領域上に印刷される少なくとも一種類のインキで印刷される。
【００２３】
（実施の形態１）
図２（ａ）に真偽判別可能な印刷物Ｂを示す。図２（ａ）に示すように基材１上に第１の領域２と第２の領域３が配置されて背景模様４が形成される。背景模様４上に印刷模様６が形成される。第２の領域３は、第１の領域２内に毛抜き合わせで配置される。ここでいう毛抜き合せは、図２（ｂ）に示すように第１の領域２の非印刷領域９に第２の領域３が形成される。また、図３に示すように第１の領域２と第２の領域３の境界は、図３（ａ）に示すように重なることなく刷り合わさった形態、もしくは、図３（ｂ）に示すように第１の領域２と第２の領域３の一部が重なった領域８を有する形態であってもよいが、一部が重なった領域８は目視できない程度に留めることが好ましい。一部が重なった領域８は、第１の領域２上に第２の領域３を印刷又は第２の領域３上に第１の領域２を印刷しても良い。この場合は、第１の領域２と第２の領域３の一方又は両方の重なった領域は、目視されない大きさに制限することが好ましいが、目視される大きさに達する場合はクラデーション等の濃度調整をすることが好ましい。
【００２４】
図４に示すように第１の領域２及びは第２の領域３によって背景模様４が形成され、第２の領域３によって潜像画像５が形成され、第１の領域は、背景模様４から潜像画像５を構成するための第２の領域３を除いた画像７を形成する。背景模様４上に印刷模様６が重ね刷りされる。
【００２５】
第１の領域２から成る背景模様４から潜像画像５を構成するための第２の領域３を除いた画像７は、第１の印刷インキで、第２の領域３から成る潜像画像は第２の印刷インキで印刷される。背景模様４上に印刷される印刷模様６は、背景模様４とは異なる色彩の少なくとも一色のインキで印刷される。少なくとも一色のインキは、分光反射率が第２の波長の範囲で第２の印刷インキの分光反射率より高い分光反射率のインキである。例えば、印刷模様６はマゼンタインキ及び／又はイエローインキで印刷される。背景模様４上に印刷される印刷模様６の網点面積率が特に限定されるものではない。
【００２６】
第１の印刷インキと第２の印刷インキの関係について説明する。第１の印刷インキと第２の印刷インキの分光反射率は可視領域内の第１の波長の範囲では近似し、可視領域内の第２の波長の範囲では異なる値となる。つまり、１の印刷インキと第２の印刷インキはメタメリックペアインキの関係にある。また、第１の印刷インキの６４０〜７００ｎｍ間での分光反射スペクトルの積分値は、第２の印刷インキの６４０〜７００ｎｍ間での分光反射スペクトルの積分値の２倍以上を有し、第１の印刷インキの４００〜６００ｎｍ間での分光反射スペクトルの積分値は、第２の印刷インキの４００〜６００ｎｍ間での分光反射スペクトルの積分値と略同一であることを特徴とすることが好ましい。
【００２７】
図５は、本発明で使用するメタメリックペアインキである第１の印刷インキ及び第２の印刷インキの分光反射率曲線の一例である。図５に示すように第１の印刷インキ及び第２の印刷インキの分光反射率の関係が、６４０〜７００ｎｍ間で３０％以上の分光反射率の差が生じる設計とし、４００〜６００ｎｍで２０％以下の分光反射率の差が生じる設計で第１の印刷インキ及び第２の印刷インキを作製している。図５に示す分光反射率曲線を有する第１の印刷インキ及び第２の印刷インキは茶系の色彩のインキである。ただし、本発明においては茶系の色彩のメタメリックペアインキを用いて説明を記載しているが、通常光下での等色性に優れ、かつ特定波長域における異色性に優れたメタメリックペアインキを使用することを前提とした場合には、その色彩についての制限はない。
【００２８】
図５に示すメタメリックペアインキである第１の印刷インキ及び第２の印刷インキの関係は、６４０ｎｍ以上の分光反射率に大きな違いが生じる設計とし、波長領域Ｂは、６４０ｎｍから目視可能な最高波長である７００ｎｍの範囲としている。図５では、６６０ｎｍ以上で、より顕著な分光反射率の差異が見受けられるが、６６０〜７００ｎｍの光を透過するシャープカットフィルタ等を用いる場合、通常の屋内の光源では透過する光量が不足してしまい、インキの反射又は吸収特性が如何に優れている場合でも全体画像自体が暗く沈み、ほとんど視認不可能となることから、強力な光源を必要とする場合が多い。以上のことから、６４０〜７００ｎｍを波長領域Ｂとしている。この波長領域Ｂの設定については、ユーザが希望する認証波長を取り決め、それにしたがったインキ材を選択してメタメリックペアインキを作製すればよいのであって、当然のことながら、特にこの波長領域に限定されるものでない。
【００２９】
次に、第１の領域２から成る背景模様４から潜像画像５を構成するための第２の領域３を除いた画像７の網点面積率、潜像画像５の網点面積率の網点面積率の関係について説明する。
【００３０】
第１の領域２から成る背景模様４から潜像画像５を構成するための第２の領域３を除いた画像７は第１の所定範囲の網点面積率で印刷され、第２の領域３から成る潜像画像５は第２の所定範囲の網点面積率で印刷される。第１の所定範囲の網点面積率と第２の所定範囲の網点面積率は同一又は略同一である必要がある。
【００３１】
真偽判別可能な印刷物Ｂ１は特定波長Ａである太陽光、蛍光灯又は白熱電球等からの通常光下では図６（ａ）に示すように背景模様４と背景模様４上に印刷された印刷模様６が確認され、潜像画像５は確認することができない。通常光下では背景模様４と背景模様４上に印刷された印刷模様６により複数色の色彩を確認できる。
【００３２】
真偽判別可能な印刷物Ｂ１は波長領域Ｂである異なる光源又は所定のフィルタ１０（例えば、ＦＵＪＩ  ＦＩＬＭ製  ＳＣ６４）を通して観察した場合に、図６（ｂ）に示すように潜像画像５が確認される。第１の印刷インキで印刷される背景模様４から潜像画像５を構成するための第２の領域３を除いた画像７はあたかも消出したようになり、同様に背景模様４とは異なる色彩の少なくとも一色のインキで印刷された印刷模様６はあたかも消出したようになり、潜像画像５のみが視認されているように見える。よって、容易に真偽判別することが可能となる。
【００３３】
（実施の形態２）
図２（ａ）に示した真偽判別可能な印刷物Ｂ１の背景模様４は、第１の領域２と第２の領域３が毛抜き合わせで配置されて形成しているが、図７（ａ）に示す真偽判別可能な印刷物Ｂ２のように第１の領域２と第２の領域３は隣接されて形成される形態でもよい。隣に接する位置は特に限定されるものではない。また、第１の領域２と第２の領域３は、若干離れている形態でもよい。さらに、第１の領域２と第２の領域３から成る背景模様４上に背景模様４とは異なる色彩の印刷模様６が重ね刷りされる。図７（ｂ）に真偽判別可能な印刷物Ｂ３を示す。第１の領域２と第２の領域３によって万線画線が形成されている。さらに、第１の領域２と第２の領域３から成る万線画線形状の背景模様４上に背景模様４とは異なる色彩の印刷模様６が重ね刷りされる。
【００３４】
（実施の形態３）
図８に示した真偽判別可能な印刷物Ｂ４の背景模様４は、第１の領域２と第２の領域３が毛抜き合わせで複数配置されて形成している例である。背景模様４上には印刷模様６が重ね刷りされている。第１の領域２と第２の領域３が複数配置されて形成することで、通常可視下で第１の領域２と第２の領域３は、より区分けして視認されることがなくなる。さらに、第２の領域３によって形成する潜像画像に濃度階調を付与することができる。濃度階調は、図８の拡大図に示す第２の領域３の大きさの違い等によって形成される。第１の領域２と第２の領域３の位置関係は図８の拡大図に限定されることなく、図９（ａ）乃至図９（ｄ）の位置関係によって形成が可能である。なお、図９（ｂ）乃至図９（ｄ）第１の領域２は、第１の領域２ａと第１の領域２ｂに区分けされ、第１の領域２ｂは、第１の領域２ａと同一のインキで濃度階調を付与することが可能となる。図９（ｂ）は、第１の領域２ａの面積は第１の領域２ｂの面積よりも小さい。図９（ｃ）は、第１の領域２ａの面積は第１の領域２ｂの面積よりも大きい。図９（ｄ）は、第１の領域２ａの面積は第１の領域２ｂの面積と同等である。
【００３５】
この場合は、潜像画像を隠蔽する手段としては、潜像画像５を形成する第２の印刷インキで印刷される網点と、背景模様４から潜像画像５を構成するための第２の領域３を除いた画像７を形成する第１の印刷インキの網点の組み合わせの網点面積率の合計が一定の値となるようにする。第１の領域２及び第２の領域は、６０〜７００ｌｉｎｅ／ｉｎｃｈで印刷されることが好ましい。
【００３６】
メタメリックペアインキを用いる場合、フィルタ等を用いて目視される潜像画像は、観察環境に存在する光のうち、波長領域Ｂの光のみを利用するものであるから、波長領域Ａでは低濃度と感じる画像であっても、波長領域Ｂにおいては、その光量自体が大きく低下するため、波長領域Ｂの光に対する反射又は吸収特性がより強く反映され、波長領域Ａで得られる濃度よりも高い濃度であると目視上感じさせることができる。すなわち、波長領域Ｂにおけるインキの反射又は吸収特性が優れている場合には、波長領域Ａではハイライト程度としか目視されない濃度であっても、フィルタを通して観察した場合には、中間からシャドーの濃度として観察者に認識させることが可能となる。
【００３７】
本発明に用いる網点形状は、円形ドットに限定されるものではなく、ランダムドットや本出願人が先に出願した特開平11-268228号公報で提案している特殊網点生成法を用いて意匠性を加味した入力画像を網点(ハーフトーンスクリーン)からなる連続階調網点に変換した自由度のある特殊網点形状を用いても良い。
【００３８】
また、本発明の真偽判別可能な印刷物に用いる基材は、特に限定されることがなく、上質紙、コート紙、アート紙等の紙葉類又はフィルム等を用いることができる。
【００３９】
本発明の真偽判別可能な印刷物の印刷方式は、オフセット印刷方式、グラビア印刷方式、スクリーン印刷方式、フレキソ印刷方式、インクジェットプリンタ又はレーザプリンタ等、特に限定されるものではないが、刷り合わせ精度が要求される場合が多いため、特にオフセット印刷方式が好ましい。実際に印刷物を作製する場合、ほとんどの印刷方式において、印刷物と版面間ではドットゲインによる網点面積率の上昇が見込まれることから、版面作製にあたっては、あらかじめそれを見込んだ網点面積率にする必要があることはいうまでもない。
【００４０】
なお、潜像画像は、文字、数字又は記号等の単なる二値画像としても、階調画像としてもなんら問題ない。また、背景模様で図柄を形成しても良い。
【実施例】
【００４１】
以下、実施例を用いて本発明を更に詳細に説明するが、本発明の内容は、これらの実施例の範囲に限定されるものではない。
【００４２】
（実施例）
発明を実施するにあたっては、図５に示した第１の印刷インキ及び第２の印刷インキを用いた。はじめに、使用する第１の印刷インキ及び第２の印刷インキのグラデーションスケールをそれぞれ印刷し、図１０のとおり波長領域Ａにおける両インキの反射濃度特性を確認した。波長領域Ａにおいて、第１の印刷インキ及び第２の印刷インキの網点面積率と反射濃度がほぼ比例関係にあることが重要であり、比例関係にあることが確認できた。次に、波長領域Ｂにおいて、第１の印刷インキ及び第２の印刷インキの濃度差は、シャープカットフィルタを通して目視による判定で行った。また、第１の印刷インキ及び第２の印刷インキのそれぞれの網点面積率における分光スペクトルの波長領域Ｂにおける積分値で算出することも可能である。
【００４３】
潜像画像５は、網点面積率が８０％以下の範囲で第２の印刷インキで印刷した場合は、波長領域Ｂにおいて十分な階調を有していることが確認できた。第１の印刷インキで印刷される背景模様４から潜像画像５を構成するための第２の領域３を除いた画像７は網点面積率が０〜８０％以下の範囲で形成し、潜像画像５を構成する網点と、その網点と対となる背景模様４から潜像画像５を構成するための第２の領域３を除いた画像７の網点の組み合わせの網点面積率の合計が一定の値（１００％）となるようにした。
【００４４】
図５に示した分光反射率曲線を有する第１の印刷インキ及び第２の印刷インキを用いて実施例の印刷物を作製した。実施例１に示す背景模様４から潜像画像５を構成するための第２の領域３を除いた画像７は、第１の印刷インキで、潜像画像５は第２の印刷インキで、背景模様４上に形成する印刷模様６をマゼンタインキ及びイエローインキでオフセット校正印刷機で印刷し、真偽判別可能な印刷物Ｃを作製した。
【００４５】
真偽判別可能な印刷物Ｃは、図１１に示すように基材１上に第１の領域２と、第２の領域３が交互に隣接されて複数配置され、第１の領域２内に第２の領域３が毛抜き合せで配置されて背景模様４が形成されている。背景模様４の網点面積率は、１００％で形成した。背景模様４上に階調を有する印刷模様６（葉っぱ）をマゼンタインキ及びイエローインキで印刷した。
【００４６】
図１２（ａ）に示すように真偽判別可能な印刷物Ｃは特定波長Ａである太陽光、蛍光灯又は白熱電球等からの通常光下では背景模様４と背景模様４上に印刷された印刷模様６が確認され、潜像画像５は確認することができなかった。通常光下では背景模様４と、背景模様４上に印刷された印刷模様６により複数色の色彩を確認できた。
【００４７】
図１２（ｂ）に示すように真偽判別可能な印刷物Ｃはシャープカットフィルタ１０（ＦＵＪＩ  ＦＩＬＭ製  ＳＣ６４）を通して波長領域Ｂ（６４０ｎｍ〜７００ｎｍ）の光で観察した場合には、濃度階調を有する潜像画像５のみが確認された。
【図面の簡単な説明】
【００４８】
【図１】従来のメタメリックペア印刷物を示す図である。
【図２】本発明の真偽判別可能な印刷物Ｂ１である。
【図３】第２の領域３と第３の領域４の境界を示す図である。
【図４】本発明の真偽判別可能な印刷物Ｂ１である。
【図５】本発明で使用するメタメリックペアインキである第１の印刷インキ及び第２の印刷インキの分光反射率曲線の一例を示す図である。
【図６】本発明の真偽判別可能な印刷物Ｂ１の作用についての説明図である。
【図７】本発明の真偽判別可能な印刷物Ｂ２及びＢ３である。
【図８】本発明の真偽判別可能な印刷物Ｂ４である。
【図９】第１の領域２と第２の領域３の位置関係を示す図である。
【図１０】第１の印刷インキ及び第２の印刷インキのグラデーションスケールをそれぞれ印刷し、波長領域Ａにおける反射濃度特性を示す図である。
【図１１】実施例の真偽判別可能な印刷物Ｃの説明図である。
【図１２】実施例の真偽判別可能な印刷物Ｃの作用を示す図である。
【符号の説明】
【００４９】
１          基材
２、２ａ、２ｂ          第１の領域
３          第２の領域
４          背景模様
５          潜像画像
６          印刷模様
７          背景模様４から潜像画像５を構成するための第２の領域３を除いた画像
８          一部が重なった領域
９          非印刷領域
１０          フィルタ
Ａ          印刷物
Ｂ１、Ｂ２、Ｂ３、Ｂ４、Ｃ          真偽判別可能な印刷物
【図１】
2008068511.tif 000003
【図２】
2008068511.tif 000004
【図３】
2008068511.tif 000005
【図４】
2008068511.tif 000006
【図５】
2008068511.tif 000007
【図６】
2008068511.tif 000008
【図７】
2008068511.tif 000009
【図８】
2008068511.tif 000010
【図９】
2008068511.tif 000011
【図１０】
2008068511.tif 000012
【図１１】
2008068511.tif 000013
【図１２】
2008068511.tif 000014